(57)【要約】散水板（６）に形成される散水孔（９ａ，９ｂ）の孔数が１３０個以上である。これら散水孔（９ａ，９ｂ）の直径がそれぞれ０．１ｍｍ以上０．５ｍｍ以下であり、かつ総開口面積が３０ｍｍ２以下である。これにより散水孔（９ａ，９ｂ）の総開口面積が減じられているので節水効果が得られる。しかも散水孔（９ａ，９ｂ）は小さくて多数個開けられているので、各散水孔（９ａ，９ｂ）から噴射される水流の速度が大きく、肌に当たる強さを感じ、かつシャワー水の広がりも得られることになり、シャワーの使用感が満たされる。また小さな散水孔（９ａ，９ｂ）が多数形成されているので、より多くのマイナスイオンが発生する。
2003070380.tif 000002
【特許請求の範囲】
【請求項１】
散水孔（９ａ，９ｂ）の孔数が１３０個以上であり、これら各散水孔（９ａ，９ｂ）の直径が０．１ｍｍ以上０．５ｍｍ以下であり、かつ散水孔（９ａ，９ｂ）の総開口面積が３０ｍｍ２以下であることを特徴とする散水板。
【請求項２】
中央部に多数の第１の散水孔（９ａ）が集中して形成され、これら第１の散水孔（９ａ）の周囲に複数の第２の散水孔（９ｂ）が環状に形成されていることを特徴とする請求項１に記載の散水板。
【請求項３】
前記第２の散水孔（９ｂ）が、同心状に複数列形成された散水孔列（１０ａ，１０ｂ）からなることを特徴とする請求項２に記載の散水板。
【請求項４】
前記第２の散水孔（９ｂ）の直径が、前記第１の散水孔（９ａ）の直径よりも大きいことを特徴とする請求項２又は請求項３に記載の散水板。
【請求項５】
前記第２の散水孔（９ｂ）の環状の散水孔列（１０ａ，１０ｂ）を形成した面（６ａ）が、これら散水孔列（１０ａ，１０ｂ）から出た水が外に広がるように湾曲又は傾斜した形状であることを特徴とする請求項２または請求項３に記載の散水板。
【請求項６】
金属薄板にフォトエッチング加工することにより前記散水孔（９ａ，９ｂ）が形成されていることを特徴とする請求項１ないし請求項３のうちいずれか１項に記載の散水板。
【請求項７】
一端がシャワーホース（４ａ）に連結されるシャワーヘッド本体（１）の他端に散水板（６）を備えたシャワーヘッドであって、該散水板（６）が、請求項１ないし請求項３のうちいずれか１項に記載の散水板であることを特徴とするシャワーヘッド。
【請求項８】
毎分１０リットルの通水量の場合に、前記散水孔（９ａ，９ｂ）より放出される噴射水の噴射速度が２０ｋｍ／時間以上であることを特徴とする請求項７に記載のシャワーヘッド。
【発明の詳細な説明】
技術分野
本発明は、シャワールーム（ｓｈｏｗｅｒ  ｒｏｏｍ）、浴室、洗面台、又は理容院や美容院などで使用されるシャワーヘッド（ｓｈｏｗｅｒ  ｈｅａｄ）、特に先端に取着されてシャワー水を散布する散水板（ｓｈｏｗｅｒ  ｆａｃｅ  ｐｌａｔｅ）の構造に関する。
背景技術
一般に、シャワーヘッドは、シャワーホース（ｓｈｏｗｅｒ  ｈｏｓｅ）に接続されるシャワーヘッド本体の先端に散水板が取り付けられている。この散水板に同じ大きさの多数の小さな散水孔が開口している。上記シャワーホースを通じて供給される水又はお湯は、シャワーホース本体内を通り、散水板に形成した多数個の散水孔で分流される。これらの散水孔から、それぞれ細い水流、つまりシャワー水が放出される。
一般に普及している従来のシャワーヘッドは、散水板の散水孔の直径が０．８ｍｍないし１．０ｍｍ程度、孔数が６０ないし１００個程度、総開口面積は４０ｍｍ２ないし６５ｍｍ２程度であった。
最近、節水形シャワーと称されるシャワーヘッドが市販されている。すなわち、シャワーの使用水量を節約するため種々の手段が設けられている。例えば、日本国の特開平８−２６６９４０号公報には、ヘッド部の内部に、出口側が拡径する形状の縮径通水部を設けたシャワーヘッドが提案されている。しかしながらこの従来例は、前記縮径通水部を形成するために格別な部品が必要になり、製造コストが増大するなどの不具合がある。
通常、シャワーの使用水量を減じるには、理論的に、散水孔の総開口面積を小さくすればよい。そのためには散水孔の数を減じるか、又は各散水孔の直径を小さくすればよい。
しかしながら、単に散水孔の数を少なくすると、節水効果は得られるが、シャワー水としての分散した広がりが得られない。このため、シャワーを浴びるという感覚がなくなったり、洗い流したい場所に当たる水量が少なくなるなどの不具合が生じる。この結果、洗浄作用が低下することから、シャワーの使用時間が長くなってしまい、節水という初期の目的が得られない。また、単に各散水孔を小さくすると、節水効果は発揮されるものの、噴射圧が高くなって身体に当たったとき痛みを感じるといった問題がある。
空気中にはプラスイオン（ｐｌｕｓ  ｉｏｎ）とマイナスイオン（ｍｉｎｕｓ  ｉｏｎ）がバランスして存在している。空気が汚染されている都会では、空気中のプラスイオンが増加傾向にあり、マイナスイオンの減少が観測されている。自然界では、森林、温泉地、滝の周囲、噴水の近くで、空気中のマイナスイオンが多く観測されている。このように空気中のマイナスイオンの多い環境では、人の仕事能率、快適性、疲労度、癒やし等に良い影響を与えるといわれている。
マイナスイオンは滝の周辺に多数発生し、落下する水が粉砕されるときにマイナスイオンが発生する。これにより、周囲の空気中のマイナスイオンを増加させるといわれており、レナード効果化（Ｌｅｎａｒｄ  ｅｆｆｅｃｔ）として知られている。このようなレナード効果は、シャワー水でも同様に得られ、従来のシャワーヘッドを使用した場合でもマイナスイオンが発生していた。
しかし、本発明者らの観測によれば、従来のシャワーヘッドを用いた場合、マイナスイオンの発生量は、さほど多くないことが判った。
発明の開示
本発明の第１の目的は、節水効果が得られる散水板およびこれを用いたシャワーヘッドを提供することにある。
本発明の第２の目的は、マイナスイオンを多量に発生させることができる散水板およびこれを用いたシャワーヘッドを提供することにある。
本発明では、散水孔の孔数が１３０個以上であり、これら各散水孔の直径が０．１ｍｍ以上０．５ｍｍ以下であり、かつ散水孔の総開口面積が３０ｍｍ２以下である散水板が提供される。
このような散水板は、総開口面積を３０ｍｍ２以下にしたので、従来よりも開口面積が小さくなり、通水量が少なくなるため節水効果が得られる。しかも、この場合、散水孔の孔数を１３０個以上とし、かつ各散水孔の直径を０．１ｍｍ以上０．５ｍｍ以下にしたので、従来よりも孔数が多くかつ従来よりも小さな散水孔となる。このため、各散水孔から、細くかつ流速の大きな多数の水流が噴射されることになり、高い洗浄効果が得られ、しかもシャワーの使用感が満たされる。
本発明の散水板は散水孔の数が多いので、シャワーの噴射本数が多くなり、したがって水の衝突数が増える。このため、水が粉砕されて小さな粒子が多数発生し易くなり、結果としてマイナスイオンの発生量が増す。好ましくは、散水孔の数は１５０個以上３５０個以下である。
散水孔の直径を０．１ｍｍ以上、０．５ｍｍ以下にした場合には、それぞれの孔から放出される噴射水は細くなる。この噴射水が衝突したときには水が一層微粒子に粉砕され易くなり、この結果、マイナスイオンの発生量も増加する。
なお、散水孔の大きさは、散水板の板厚との関係から０．２ｍｍ以上、０．４ｍｍ以下が望ましい。
本発明の好ましい態様は、中央部に多数の第１の散水孔を集中して開設し、この周囲に多数の第２の散水孔を環状に列設した散水板が提供される。
このような散水板であれば、中央部に集中して形成された多数の第１の散水孔から多量の水が噴射される。このため、洗いたい場所に多量の水を供給することができ、高い洗浄効果が得られる。散水板の外周寄りの位置に環状に配置された第２の散水孔は、上記洗いたい箇所に噴出される水の領域の外周部分に水を噴出する。これら第１の散水孔と第２の散水孔から同時に水が噴射されることにより、シャワー水の広がりが得られ、洗浄範囲が広くなるとともに、シャワーの使用感が満たされ、かつシャワー水の外観も向上する。
他の好ましい態様では、前記第２の散水孔は、同心状に複数列設けられている。これによりシャワー水の広がり具合が均等になる。
さらに他の好ましい態様では、第２の散水孔は、中央に集中して設けた第１の散水孔よりも直径を大きくしている。これにより、中央部に当たる水の量と、周囲に当たる水の量のバランスを良くすることができる。
さらに、別の好ましい態様では、前記第２の散水孔を形成する散水板の面は、シャワー水が外に広がるように湾曲又は傾斜している。このことにより、第２の散水孔から噴射されるシャワー水の拡散性が良くなる。
そしてまた、他の態様では、散水板は金属薄板にて形成され、前記散水孔がフォトエッチング加工（ｐｈｏｔｏ−ｅｔｃｈｉｎｇ）により形成される。これにより、多数の小さな散水孔が形成された散水板を容易に製造することができる。
本発明では、前記散水板をシャワーヘッド本体に取り付けてなるシャワーヘッドが提供される。このシャワーヘッドは、前記散水板のもつ利点を備えている。
この場合の好ましい態様では、毎分１０リットル（ｌｉｔｅｒ）の通水量の場合に、前記散水孔より放出される噴射水の噴射速度が２０ｋｍ／時間以上である。このような噴射速度の場合、噴射水の衝突エネルギーが大きくなる。このため、衝突した時に水が微粉砕され易く、小さな水の粒子が多数発生するからマイナスイオンの発生量が増大する。
本発明によれば、散水板に直径の小さな散水孔を多数形成し、散水孔の総開口面積を小さくしたことにより、節水効果を奏する。また、小さな散水孔を多数形成したことにより、噴射水が衝突して粉砕されやすく、マイナスイオン発生数が増大する。
散水板の中央部に集中的に第１の散水孔を形成した場合には、散水板の中央部から多量の水が集中して噴射されるようになるため、洗いたい場所に多量の水を供給することができて高い洗浄効果が得られる。これら第１の散水孔の周囲に、環状に第２の散水孔を配置すれば、第１の散水孔から噴出される水の外周領域にも水が放出されるようになる。このことにより、シャワー水の広がりが得られ、シャワーの使用感が満たされる。
発明を実施するための最良の形態
以下に本発明をシャワーヘッドに適用した一実施例について、図１ないし図３にもとづき説明する。図１はシャワーヘッドの一部を断面して示す側面図、図２は散水板の正面図、図３は散水板の断面図である。
図１に示すシャワーヘッド本体１は、握り部２とヘッド部３とを備えている。これら握り部２およびヘッド部３は合成樹脂からなり、互いに、図示しないネジ結合又はバヨネット結合（ｂａｙｏｎｅｔ  ｊｏｉｎｔ）などの手段で脱着可能に連結されている。
握り部２は中空円筒形をなしており、一端に導入口４を有している。この導入口４が、シャワーホース４ａ（一部のみ図示する）に連結される。このシャワーホース４ａは、周知の通り、給水栓又は混合栓などに接続される。
握り部２の他端には、上記ヘッド部３が連結されている。このヘッド部３はほぼＬ字形の中空空間を有し、一端が上記握り部２の内部空間に連なっているとともに、他端に吐出口５が開口されている。この吐出口５に散水板６が取り付けられている。この散水板６は、ヘッド部３に対して押えリング（ｃｌａｍｐ  ｒｉｎｇ）７によって脱着可能に取り付けられているとともに、ゴムなどのシール材（ｓｅａｌ  ｍｅｍｂｅｒ）８により水密に保たれている。
次に散水板６について説明する。
本実施例の散水板６はステンレス（ｓｔａｉｎｌｅｓｓ  ｓｔｅａｌ）の薄板からなる。このステンレス薄板は、板厚０．４ｍｍ、直径５０ｍｍ程度の円盤をなしている。このようなステンレス製の散水板６に、多数の散水孔９ａ，９ｂが形成されている。各散水孔の直径は０．１ｍｍ以上で０．５ｍｍ以下となっている。本実施例では、後述するように、直径０．３２ｍｍと直径０．３７ｍｍの２種の散水孔９ａ，９ｂが形成されている。
上記散水孔９ａ，９ｂは、図２に示されるように配置されている。すなわち、散水板６の中央部に多数の第１の散水孔９ａが集中して形成されている。これら中央部の散水孔９ａは、直径が０．３２ｍｍである。これらの散水孔９ａは、散水板６の中央部の直径約１５ｍｍの円の中に、合計８０ないし１５０個開口されている。具体的には、合計１４４個の散水孔９ａが、５列の散水孔列をなして開口されている。これら第１の散水孔９ａの総開口面積は、１１．５７ｍｍ２となっている。
上記第１の散水孔９ａの周囲に、多数の第２の散水孔９ｂが環状に配置されている。これら第２の散水孔９ｂは、直径が０．３７ｍｍである。本実施例では、第２の散水孔９ｂは、２列の同心円上に、散水孔列１０ａ，１０ｂとして配置されている。内側の散水孔列１０ａは、直径３０ｍｍの円周上に、合計１８個の散水孔９ｂを備えている。外側の散水孔列１０ｂは、直径３５ｍｍの円周上に、合計７２個の散水孔９ｂを備えている。したがって、散水孔列１０ａ，１０ｂの孔数は合計９０個となっている。これら第２の散水孔９ｂの総開口面積は、９．６７ｍｍ２である。散水板６全体の散水孔９ａ，９ｂの総開口面積は、２１．２４ｍｍ２である。
上記散水板６は、図３に示される通り、中央部が平坦面をなすとともに周囲は湾曲面６ａを有し、全体として前方に出っ張る皿型に形成されている。散水板６の中央部の平坦面に、上記第１の散水孔９ａが設けられている。散水板６の周囲の湾曲面６ａに、上記第２の散水孔９ｂ（散水孔列１０ａ，１０ｂ）が形成されている。
このような散水板６は、散水孔９ａ，９ｂがそれぞれ小さな孔であるとともに、部分的に高密度に配置されることから、ドリル（ｄｒｉｌｌ）などの孔開け加工では多大な手間を要する不具合がある。しかも樹脂による型成形では、金型が複雑になるとともに金型寿命が短くなる。これらの理由から、本実施例の散水板６は、ステンレス薄板を用い、フォトエッチング加工にて製造されている。
このような構造のシャワーヘッドについて、その作用を説明する。
シャワーヘッド本体１をシャワーホース４ａに連結する。給水栓を開けると、水道水（又はお湯）がシャワーホース４ａを通じてシャワーヘッド本体１に供給される。この水は、握り部２の下端の導入口４から握り部２内を通ってヘッド部３に至り、吐出口５に設けた散水板６の第１の散水孔９ａと第２の散水孔９ｂより同時に噴射されてシャワー水となる。
本実施例の散水板６は、直径０．３２ｍｍの第１の散水孔９ａを合計１４４個開けてあるとともに、直径０．３７ｍｍの第２の散水孔９ｂを合計９０個開けてある。このため、散水孔９ａ，９ｂの総開口面積は２１．２４ｍｍ２となっている。後述するが、本実施例の散水板６は、従来のシャワーヘッドに比べて節水効果があり、単位時間当たりの通水量を節減することができる。
加えて、散水板６には、その中央部に集中して、直径０．３２ｍｍの第１の散水孔９ａが合計１４４個形成されているので、破線で示すように、散水板６の中央部から集中して噴射される。このため、散水板６の中央部から多量の水が噴射されるので、これがジェット噴水となり、洗いたい場所に多量の水を供給することができる。よって充分な洗浄効果が得られる。
一方、同時に、散水板６の中央部の周囲からは、環状に配置された第２の散水孔９ｂの散水孔列１０ａ，１０ｂを通じてシャワー水が噴射される。このため、洗いたい場所の中央部に当たる水の領域の外周部分に向かって水が放出され、これがシャワー水の広がりを呈する。よって、洗いたい場所の周囲に対してもシャワー水を放出するので、シャワーの使用感が良くなるとともに、シャワー水の外観も向上する。
本実施例では、環状に配列された散水孔列１０ａ，１０ｂは、直径０．３７ｍｍの散水孔９ｂを合計９０個設けてあるとともに、これら散水孔９ｂは２列に分散して形成されている。これにより、周囲に噴射されるシャワー水の分布が均等になり、また周囲の水量を確保することができ、かつシャワーの外観もきれいになる。
環状に列設した散水孔列１０ａ，１０ｂからなる第２の散水孔９ｂは、中央に集中して設けた第１の散水孔９ａよりも孔数が少なくなっているが、第２の散水孔９ｂは第１の散水孔９ａよりも直径を大きくしてある。このため、中央部に集中的に当たるジェット噴流の量と、周囲に当たるシャワー水の量のバランスが良くなる。仮に、中央のジェット噴流の水量が多いと、ジェット噴射のみを受ける感じになり、シャワーを浴びる感覚が弱くなってしまう。逆に、周囲のシャワー水の量が多くなると、全体に水を受ける圧力感が乏しくなって、物足りなさを感じることになる。
本実施例の散水板６では、第２の散水孔９ａの散水孔列１０ａ，１０ｂを形成した面が湾曲面６ａをなしているから、シャワー水が外に広がるようになり、これによりシャワー水の拡散性がさらに良くなる。
本発明は、散水孔９ａ，９ｂの総数が１３０個以上で、各散水孔９ａ，９ｂの直径が０．１ｍｍ以上０．５ｍｍ以下であり、かつこれら散水孔９ａ，９ｂの総開口面積が３０ｍｍ２以下である、いわゆる節水型の散水板に適用して有効である。その節水効果について説明する。
表１は節水効果を評価したものであり、シャワーホースが接続された給水栓の開度を一定にしたときに各種シャワーヘッドの最大流量を測定したものである。そのときの水道水圧（給水栓を閉じた時の水道末端圧力）は０．２６Ｍｐａ（静水圧）である。
2003070380.tif 000003
表１に、種々のシャワーヘッドについて、孔数、孔の直径、総開口面積、最大流量を測定した結果を示している。表１中の比較例１ないし比較例５は、既存のシャワーヘッドを測定したものである。実施例１ないし実施例６は、本発明に該当する各種シャワーヘッドの測定値である。
表１から判る通り、散水孔の総開口面積が小さいほど、最大流量は少なくなり、節水効果が現れる。比較例１ないし比較例５では、散水孔の数は少ないが、各孔の径が大きくて総開口面積は３０ｍｍ２を越えている。このため最大流量は多くなって節水効果は低い。
これに比べて、実施例１ないし実施例６の場合は、総開口面積が３０ｍｍ２以下になっているので、最大流量は少なく、したがって節水効果を奏する。
本実施例１の場合は従来の比較例１に比べて６９％の節水効果がある。
一方、本実施例１のシャワーヘッドは、散水板６に形成した散水孔９ａ，９ｂの孔数が合計２３４個であり、従来のシャワーヘッドに比べて孔数は格段に多くなっている。このため、散水板から噴射される噴射水流の本数が多くなり、よって人肌や頭部に当たった場合、水の粒子がぶつかり合うチャンスが多くなる。このことにより、水滴や水の粒子が微粉砕され易くなって微細な水の粒子が多量に発生する。
レナード効果は、水滴が粉砕されるときにマイナスイオンが発生することによって得られる。このため、水の衝突により微細な水の粒子が多量に発生すれば、結果として空気中のマイナスイオンが増えることになる。
さらに、上記実施例の場合、散水孔９ａ，９ｂの数が多いことに加えて、それぞれの孔の大きさが直径０．３２ｍｍおよび０．３７ｍｍとなっており、従来に比べて小さい。このことから、各散水孔９ａ，９ｂから噴射される噴射水は細い水流になる。このため、人肌や頭部に当たった場合、水流が細いことから一層微細な水の粒子が多量に発生し易くなる。よって、レナード効果を発揮し、マイナスイオンが多量に発生することになる。
そしてまた、上記実施例１のシャワーヘッドは、散水板６に開口した散水孔９ａ，９ｂの総開口面積が２１．２４ｍｍ２となっており、これは従来のシャワーヘッドに比べて小さい。このため散水孔９ａ，９ｂから噴射される水の噴射速度は、従来のシャワーヘッドに比べて大きい。よって、噴射水が人肌や頭部に当たるときの衝突速度も大きくなり、この大きな衝突エネルギーのために水が微細に粉砕されるようになる。又、衝突エネルギーが大きいから、衝突面に当たった水滴が粉砕されて飛び散り易くなり、飛び散った水滴が他の水滴に再衝突する割合も増える。
このように噴射速度が大きいことは、レナード効果を一層発揮し、水滴や水粒子がぶつかることによって発生するマイナスイオンが多量に発生することになる。
次に、マイナスイオンの発生量を測定した結果を、表２にもとづき説明する。
表２に示すマイナスイオン数は、シャワーホースに各種シャワーヘッドを接続し、これらシャワーヘッドから噴射されるシャワー水に対し、シャワーヘッドの前方４０ｃｍの場所に置かれた板にシャワー水が衝突することによって発生するマイナスイオン数を、マイナスイオン計測器を用いて測定した値である。計測器は型式ＣＩ−１０００のマイナスイオン測定器であり、ｃｍ３当たりのマイナスイオン発生数を計測する。
2003070380.tif 000004
表２において、比較例１ないし比較例５は、いずれも従来のシャワーヘッドの測定値である。
これら従来のシャワーヘッドは、散水孔の孔数が少なく、しかし孔の大きさは０．８ｍｍ以上となっており、総開口面積が相対的に大きい。これら従来のシャワーヘッドについてマイナスイオン発生数をカウントしてみると、最大流量１３リットル／分の場合でも最高でマイナスイオン発生数は８０，０００個／ｃｍ３以下であった。
これに対し、本実施例１の場合、マイナスイオン数は流量７リットル／分でも１２５，０００個／ｃｍ３以上、流量１３リットル／分では３１０，０００個／ｃｍ３がカウントされており、マイナスイオンの発生量が格段に多いことが確認された。
実施例２ないし実施例６の場合は、それぞれ散水孔の数、大きさを変えてマイナスイオン発生量を測定したものであり、散水孔の数は１３０個以上であり、孔の直径は０．３２ｍｍないし０．４５ｍｍである。これら実施例２ないし実施例６の場合も、マイナスイオン発生数は１００，０００個／ｃｍ３を越えており、マイナスイオンを大量に発生させることが確認できた。
上記表２における噴射速度とマイナスイオン数との関係を、図４に示す。図４の近似線から理解できる通り、散水孔の総数が１３０個以上、各散水孔の直径が０．１ｍｍ以上０．５ｍｍ以下、これら散水孔の総開口面積が３０ｍｍ２以下、流量１０リットル／分の場合に噴射速度が２０ｋｍ／時間以上であれば、マイナスイオンの発生量は１００，０００個／ｃｍ３を越えている。このことから、噴射速度は流量１０リットル／分の場合に２０ｋｍ／時間以上であることが望まれる。
なお、散水孔の総開口面積は、小さい程噴射水の勢いが強くなるが、勢いが強くなり過ぎると肌に当たった場合に痛く感じる。このため、散水孔の総開口面積は３０ｍｍ２以下で１５ｍｍ２以上であることが望ましい。
上記した本実施例１の散水板６は、ステンレス板からなり、フォトエッチング加工により製造される。このため、中央部に多数の第１の散水孔９ａを高密度に容易に配置することができる。仮に、合成樹脂にて同等密度の散水孔を形成しようとすると、成形金型に小さな針状の突起を精密に形成する必要がある。このような金型は製造が困難であり、針状突起が折損し易いなどの問題もあるので、フォトエッチング加工にて製造するのが有利である。
なお、散水孔列１０ａ，１０ｂを形成する面は、湾曲面に限らず円錐面であってもよい。さらに、散水孔列は二重に限らず、一重又は三重であってもよい。
散水孔の最小径は、加工可能な大きさであれば制限されないが、０．１ｍｍ以上が望まれ、板厚とフォトエッチングの加工性の観点から好ましくは０．２ｍｍ以上がよい。
産業上の利用の可能性
本発明の散水板は、シャワールーム、浴室、洗面台、又は理容院や美容院などで使用されるシャワーヘッドに利用することができる。
【図面の簡単な説明】
図１は、本発明の第１実施例を示すシャワーヘッドを一部断面で示す側面図、
図２は、図１に示されたシャワーヘッドの散水孔の配置パターンを示す散水板の正面図、
図３は、図１に示されたシャワーヘッドの散水板の断面図、
図４は、噴射速度とマイナスイオン発生数との関係を示すグラフである。
【図１】
2003070380.tif 000005
【図２】
2003070380.tif 000006
【図３】
2003070380.tif 000007
【図４】
2003070380.tif 000008
【国際調査報告】
2003070380.tif 000009
2003070380.tif 000010
2003070380.tif 000011
2003070380.tif 000012